(57)【特許請求の範囲】
【請求項１】
表面に３６０個以上のディンプルを備え、ディンプルの表面積占有率が７０％以上であり、ディンプルと交差しない大円帯がシームラインに１本のみ形成されたゴルフボールであって、
上記ゴルフボールのポールから上記シームラインに伸びる円弧により区画した同一区画形状のユニット内でデインプルが同一配置とされる一方、各ユニット内の同一位置で且つ上記大円帯からゴルフボール直径の３％以下の領域を除いた領域に、短辺が１．０ｍｍであって長辺が２．４ｍｍでありかつその内部にディンプルを含まない長方形が、互いに離間することなくかつ互いにその面積の半分以上が重なり合うことなく２個以上形成されうる広面積平滑部が配置され、ゴルフボール全体において上記広面積平滑部が１６個以上６０個以下形成されていることを特徴とするゴルフボール。
【請求項２】
短辺が１．０ｍｍであって長辺が２．４ｍｍである長方形の組み合わせからなる広面積平滑部は、Ｖ形状あるいはＹ形状の多角形状である請求項１に記載のゴルフボール。
【請求項３】
上記広面積平滑部内に、互いに離間することなくかつ互いにその面積の半分以上が重なり合うことなく形成されうる短辺が１．０ｍｍであって長辺が２．４ｍｍである長方形の総数が、３２個以上１２０個以下である請求項１又は請求項２に記載のゴルフボール。
【請求項４】
上記広面積平滑部の面積の総和が、５０ｍｍ2以上４００ｍｍ2以下である請求項１乃至請求項３のいずれか１項に記載のゴルフボール。
【発明の詳細な説明】
【０００１】
【発明の属する技術分野】
本発明はゴルフボールに関するものであり、特にゴルフボールのディンプルパターンに関するものである。
【０００２】
【従来の技術】
ゴルフボールは、その表面に２８０個〜５４０個程度のディンプルを備えている。ディンプルの役割は、ゴルフボール飛行時にゴルフボール周りの空気の流れを乱すことによって境界層の乱流遷移を促進し、乱流剥離を起こさせることにある（以下「乱流効果」とも称される）。乱流遷移の促進により空気のゴルフボールからの剥離点が後方に下がり、圧力抵抗が小さくなってゴルフボールの飛距離が増大する。また、乱流遷移の促進によりゴルフボールの上側と下側とにおける剥離点の差が助長され、ゴルフボールに作用する揚力が高められる。従って、乱流遷移を促進しやすいディンプルパターン、すなわち空気の流れをよりよく乱すことができるディンプルパターンほど、空力的に優れたものであるといえる。
【０００３】
従来、ディンプルパターンについて種々の検討がなされてきた。例えば、特公昭５７−２２５９５号には、その表面に所定面積の平滑部（ディンプル以外の部分）が形成されたゴルフボールが開示されている。このゴルフボールには平滑区域が存在するので、表面のうちディンプルで覆われた部分が少ない。従って、ディンプルによる乱流効果が不十分であり、飛行性能の点で満足が得られるものではない。
【０００４】
表面のディンプルがなるべく密とされ、飛行性能が高められたゴルフボールも提案されている。例えば、特開昭６４−８９８２号公報には、表面積占有率（ディンプル面積の総和が、ゴルフボールと同一直径を備えた仮想球の表面積で除された値）が６５％以上であるゴルフボールが開示されている。また、特開平４−３４７１７７号公報には、所定面積以上の長方形が画かれる平滑部の個数が４０カ所以下とされたゴルフボールが開示されている。
【０００５】
ところで、通常ゴルフボールは上下一対の半割れ金型を用いて成形されるが、成形時には上型と下型との合わせ目（パーティングライン）からカバー材料が流れ出し、環状のバリが発生する。このバリは、成形後に砥石等で研削・除去される。研削部分を平滑として除去を容易とするため、通常パーティングライン上にはディンプルが形成されない。このため、ゴルフボール表面のパーティングラインに相当する部分（以下これを「シーム」という）には、ディンプルと全く交差しない大円が存在し、この大円を中心とした領域はディンプルが存在しない大円帯となる。
【０００６】
【発明が解決しようとする課題】
ディンプルが密に配置された前述のゴルフボールは飛行性能に優れるので、このゴルフボールを打撃するゴルファーは大きな飛距離を得ることができる。しかしながら、ゴルファーの飛距離に対する要求は高く、さらなる飛距離の増大が望まれている。また、ディンプルが密に配置されたゴルフボールでは、大円帯とこの大円帯以外の領域とでのディンプル疎密差が大きいので、ゴルフボールの外観が損なわれ、また空力的対称性が不十分となってしまうという問題もある。
【０００７】
本発明はこのような問題に鑑みてなされたものであり、飛行性能がさらに高められ、しかも大円帯とこの大円帯以外の領域とでのディンプル疎密差が抑えられたゴルフボールの提供を目的とするものである。
【０００８】
【課題を解決するための手段】
上記の目的を達成するためになされた発明は、表面に３６０個以上のディンプルを備え、ディンプルの表面積占有率が７０％以上であり、ディンプルと交差しない大円帯がシームラインに１本のみ形成されたゴルフボールであって、
上記ゴルフボールのポールから上記シームラインに伸びる円弧により区画した同一区画形状のユニット内でデインプルが同一配置とされる一方、各ユニット内の同一位置で且つ上記大円帯からゴルフボール直径の３％以下の領域を除いた領域に、短辺が１．０ｍｍであって長辺が２．４ｍｍでありかつその内部にディンプルを含まない長方形が、互いに離間することなくかつ互いにその面積の半分以上が重なり合うことなく２個以上形成されうる広面積平滑部が配置され、ゴルフボール全体において上記広面積平滑部が１６個以上６０個以下形成されていることを特徴とするゴルフボールである。
【０００９】
このゴルフボールでは、飛行性能上好ましからざるものとされてきた広面積平滑部がむしろ積極的に形成されている。この広面積平滑部の存在により大円帯以外の領域内でディンプル疎密差が生じ、この疎密差に起因して乱流効果が発現される。広面積平滑部の個数は１６個以上６０個以下であり、しかも表面積占有率が７０％以上に維持されているので、個々のディンプルに起因する乱流効果はほぼ維持される。もちろん、広面積平滑部の存在によって個々のディンプルに起因する乱流効果が若干低減することもあり得るが、疎密差に起因する乱流効果がこれを上回るので、トータルではゴルフボールの飛行性能が向上する。
【００１０】
また、広面積平滑部によって大円帯とこの大円帯以外の領域とのディンプル疎密差が緩和され、ゴルフボールの外観が向上する。しかも、バックスピンの周速が最も速い部分が大円帯と一致したときとそうでないときとの飛行性能差が抑制され、ゴルフボールの空力的対称性が向上する。
【００１１】
広面積平滑部には、短辺が１．０ｍｍであって長辺が２．４ｍｍでありかつその内部にディンプルを含まない長方形（以下「所定長方形」とも称される）が形成されうる。１個の広面積平滑部に、互いに離間することなくかつ互いにその面積の半分以上が重なり合うことなく形成される所定長方形の個数は、２以上である。これによって広面積平滑部の面積が大きくなり、ディンプル疎密差が生じて乱流効果が高められる。所定長方形の個数が多くなりすぎると、ディンプルが形成される領域が小さくなりすぎ、個々のディンプルに起因する乱流効果が低下してしまう。従って、その内部に互いに離間することなくかつ互いにその面積の半分以上が重なり合うことなく形成される所定長方形の個数が６以上である広面積平滑部が全く形成されないのが好ましく、この個数が４以上である広面積平滑部が全く形成されないのが特に好ましい。すなわち、全ての広面積平滑部において、その内部に互いに離間することなくかつ互いにその面積の半分以上が重なり合うことなく形成される所定長方形の個数が２個又は３個とされるのが、理想的である。
【００１２】
大円帯近傍を除く領域に存在する広面積平滑部の個数は、１６個以上６０個以下である。この個数が１６個以上とされることにより、疎密差に起因する乱流効果が十分となる。また、この個数が６０個以下とされることにより、個々のディンプルに起因する乱流効果の低下が抑制される。これらの観点から、大円帯近傍を除く領域に存在する広面積平滑部の個数は２０個以上５６個以下が好ましく、２０個以上５０個以下が特にに好ましい。
【００１３】
大円帯は連続した平滑部であるが、広面積平滑部のカウントに際して大円帯近傍は除外される。すなわち、大円帯近傍を除く領域において、所定長方形が互いに離間することなくかつ互いにその面積の半分以上が重なり合うことなく２個以上形成される広面積平滑部のみがカウントされる。なお、上記「大円帯近傍」という用語は、シームに相当する大円からの距離がゴルフボール直径の３％以下である領域を指すものである。
【００１４】
２カ所以上の平滑部が連続しており、それぞれの平滑部に所定長方形が形成されうる場合でも、この所定長方形同士が離間してのみ形成されうる場合は、全体としては広面積平滑部ではない。もちろん、２カ所以上の平滑部が連続しており、それぞれの平滑部において所定長方形が互いに離間することなくかつ互いにその面積の半分以上が重なり合うことなく２個以上形成される場合は、それぞれの平滑部が広面積平滑部である。
【００１５】
１カ所の平滑部に２個以上の所定長方形が形成されうる場合でも、この所定長方形同士が互いにその面積の半分以上が重なり合ってのみ形成されうる場合は、この平滑部は広面積平滑部ではない。
【００１６】
ゴルフボール表面は曲面であるため、広面積平滑部に画かれる図形は厳密には３次元形状となる。しかし、広面積平滑部に画かれる図形の大きさはゴルフボール仮想球の大きさに比べて極めて小さいので、二次元形状に近似される。すなわち、本明細書において用いられる「長方形」という用語は、その辺が円弧状であるものを意味する。図形の寸法の測定に際しては、円弧の長さが辺の長さとされる。
【００１７】
本発明のゴルフボールでは、ディンプルの表面積占有率は７０％以上である。これにより、ゴルフボールが広面積平滑部を備えつつも、個々のディンプルに起因する乱流効果がある程度維持される。この観点から、表面積占有率は７４％以上が好ましい。表面積占有率は大きいほど個々のディンプルに起因する乱流効果が発現されるので、本発明ではその上限は定められない。しかし、本発明のゴルフボールは広面積平滑部を備えるので、表面積占有率は必然的に８４％以下、特には８０％以下となる。
【００１８】
本発明のゴルフボールは、３６０個以上のディンプルを備える。これにより、ゴルフボールが広面積平滑部を備えつつも、個々のディンプルに起因する乱流効果がある程度維持される。この観点から、ディンプル数は４００個以上が好ましい。なお、ディンプル数が大きくなりすぎると、例えばゴルフボールの弾道が低くなってしまう等の問題が生じるので、ディンプル数は５００個以下、特には４５０個以下が好ましい。
【００１９】
好ましくは、大円帯近傍を除く領域に形成された広面積平滑部内に、互いに離間することなくかつ互いにその面積の半分以上が重なり合うことなく形成されうる所定長方形の総数は、３２個以上１２０個以下である。所定長方形の総数が３２個以上とされることにより、疎密差に起因する乱流効果が高められる。所定長方形の総数が１２０個以下とされることにより、個々のディンプルに起因する乱流効果の低下が抑制される。これらの観点より、所定長方形の総数は４０個以上１１２個以下が特に好ましく、４０個以上１００個以下がさらに好ましい。
【００２０】
好ましくは、大円帯近傍を除く領域に形成された広面積平滑部内に、互いに離間することなくかつ互いにその面積の半分以上が重なり合うことなく形成されうる短辺が１．０ｍｍであって長辺が２．４ｍｍである長方形の組み合わせからなる多角形（以下「所定多角形」と称される）の面積の総和は、５０ｍｍ２以上４００ｍｍ２以下である。面積の総和が５０ｍｍ２以上とされることにより、疎密差に起因する乱流効果が高められる。面積の総和が４００ｍｍ２以下とされることにより、個々のディンプルに起因する乱流効果の低下が抑制される。これらの観点より、面積の総和は９０ｍｍ２以上３６０ｍｍ２以下が特に好ましい。なお、所定多角形の面積の算出では、重なり部分がなるべく小さくなるように、所定長方形が配置される。
【００２１】
好ましくは、所定多角形を内部に含む最小円の直径は、８ｍｍ以下である。これにより、広面積平滑部が大きくなりすぎることが防止され、個々のディンプルに起因する乱流効果の低下が抑制される。この観点から、最小円の直径は６ｍｍ以下が特に好ましく、４ｍｍ以下がさらに好ましい。なお、最小円内には、互いに離間することなくかつ互いにその面積の半分以上が重なり合うことなく２個以上の所定長方形が形成されるので、最小円の直径の下限は２．８ｍｍ以上が好ましい。なお、最小円の直径の導出では、重なり部分がなるべく小さくなるように、所定長方形が配置される。
【００２２】
ディンプルのサイズは特には制限されないが、通常は直径が２．０ｍｍ以上５．０ｍｍ以下とされ、深さが０．１０ｍｍ以上０．３０ｍｍ以下とされ、ディンプル容積の総和が２５０ｍｍ３以上４５０ｍｍ３以下とされる。直径とは、断面においてディンプルの両端に共通接線が引かれたときの両接点間の距離のことである。また、深さとは、この共通接線からディンプルの最深部に下ろされた垂線の距離のことである。また、ディンプル容積とは、ディンプルの外縁を含む平面とディンプル表面とによって囲まれた空間の容積のことである。
【００２３】
【発明の実施の形態】
以下、適宜図面が参照されつつ、本発明の実施形態が説明される。
図１は、本発明の一実施形態にかかるゴルフボールが示された正面図である。このゴルフボールの直径は、通常４２．６７ｍｍから４３．００ｍｍ程度である。このゴルフボールは、表面に多数のディンプル１を備えている。このゴルフボールは半球状の上型及び下型から成形されており、上型に相当する上半球２と下型に相当する下半球３とを備えている。上半球２の最上点及び下半球３の最下点は、ポール４である。上半球２と下半球３との境界近傍は、ディンプル１と交差しない大円帯５である。この大円帯５の中心は、シームと一致する。
【００２４】
図２は、図１のゴルフボールが示された平面図である。この図では上半球２のみが示されており、その中心はポール４で、その外縁は大円帯５である。この図に示されるように、上半球２は、ポール４から大円帯５に延びる５本の円弧６によって、５個のユニット７に区画されうる。各ユニット７におけるディンプルパターンは、等価である。すなわち上半球２では、１個のユニット７のディンプルパターンが、ポール４を中心として回転されることにより、５回繰り返されている。この繰り返し数は５回には限られず、通常４回以上８回以下とされる。繰り返し数が４回以上とされることにより、打撃点によって飛行性能が異なってしまうことが抑制される。また、繰り返し数が８回以下とされることにより、ディンプル１が整然と並ぶことが防止され、乱流効果が高められる。なお、図示されていないが、下半球３も上半球２と同様の、５個のユニット７を備えている。
【００２５】
このゴルフボールは、直径が４．００ｍｍのＡディンプルを１３２個、直径が３．４５ｍｍのＢディンプルを１８０個、直径が３．３０ｍｍのＣディンプルを６０個、そして直径が３．１５ｍｍのＤディンプルを６０個備えている。なお、図２では、１個のユニット７についてのみ、ディンプル１の種類（Ａ〜Ｄ）が示されている。このゴルフボールのディンプル数は４３２個である。
【００２６】
図２に示されるように、このゴルフボール表面には、第一所定多角形８が形成されうる。図２では、１個のユニット７内にその全体が含まれる第一所定多角形８が４個画かれており、１個のユニット７内にその半分が含まれる第一所定多角形８が２個画かれている。すなわち、１個のユニット７内には、５個の第一所定多角形８が含まれる（４＋０．５×２）。前述のように、このゴルフボールは上半球２と下半球３とで合計１０個のユニット７を備えているので、このゴルフボールに形成されうる第一所定多角形８の個数は５０個である（５×１０）。従って、このゴルフボールの大円帯５近傍を除く領域には、広面積平滑部が５０個存在している。
【００２７】
図３は、図１及び図２のゴルフボールの第一所定多角形８近傍が示された拡大図である。この第一所定多角形８は、直径が８ｍｍの円の内部に含まれる大きさである。また、この第一所定多角形８は６個の頂点を備えており、２個の所定長方形９の組み合わせから構成されている。２個の所定長方形９は互いにその一部が重なっている。重なり部分の面積は、各所定長方形９の面積の半分未満である。このゴルフボールでは、大円帯５近傍を除く領域に形成された広面積平滑部内に、互いに離間することなくかつ互いにその面積の半分以上が重なり合うことなく形成されうる所定長方形９の個数は、１００個である（２×５０）。
【００２８】
図４は本発明の他の実施形態にかかるゴルフボールが示された正面図であり、図５はその平面図である。このゴルフボールも、図１から図３に示されたゴルフボールと同様、ディンプル１、上半球２、下半球３、ポール４及び大円帯５を備えている。そして、上半球２及び下半球３は、ポール４から大円帯５に延びる５本の円弧６によって、５個のユニット７に区画され得る。このゴルフボールは、直径が４．００ｍｍのＡディンプルを１３２個、直径が３．４５ｍｍのＢディンプルを１８０個、直径が３．３０ｍｍのＣディンプルを６０個、そして直径が３．１５ｍｍのＤディンプルを６０個備えており、ディンプル数は４３２個である。
【００２９】
図５に示されるように、このゴルフボール表面には、第二所定多角形１０が形成されうる。図５では、１個のユニット７内にその半分が含まれる第二所定多角形１０が４個画かれている。すなわち、１個のユニット７内には、２個の第一所定多角形８が含まれる（０．５×４）。このゴルフボールは上半球２と下半球３とで合計１０個のユニット７を備えているので、このゴルフボールに形成されうる第二所定多角形１０の個数は２０個である（２×１０）。従って、このゴルフボールの大円帯５近傍を除く領域には、広面積平滑部が２０個存在している。
【００３０】
図６は、図４及び図５のゴルフボールの第二所定多角形１０近傍が示された拡大図である。この第二所定多角形１０は、直径が８ｍｍの円の内部に含まれる大きさである。また、この第二所定多角形１０は９個の頂点を備えており、３個の所定長方形９の組み合わせから構成されている。３個の所定長方形９は互いにその一部が重なっている。各所定長方形９において、他の所定長方形９と重なっている部分の面積は半分未満である。このゴルフボールでは、大円帯５近傍を除く領域に形成された広面積平滑部内に、互いに離間することなくかつ互いにその面積の半分以上が重なり合うことなく形成されうる所定長方形９の個数は、６０個である（３×２０）。
【００３１】
図７は本発明のさらに他の実施形態にかかるゴルフボールが示された正面図であり、図８はその平面図である。このゴルフボールも、図１から図３に示されたゴルフボールと同様、ディンプル１、上半球２、下半球３、ポール４及び大円帯５を備えている。そして、上半球２及び下半球３は、ポール４から大円帯５に延びる５本の円弧６によって、５個のユニット７に区画されうる。このゴルフボールは、直径が４．００ｍｍのＡディンプルを１３２個、直径が３．４５ｍｍのＢディンプルを１２０個、直径が３．３０ｍｍのＣディンプルを６０個、そして直径が３．１５ｍｍのＤディンプルを１２０個備えており、ディンプル数は４３２個である。
【００３２】
図８に示されるように、このゴルフボール表面には、第三所定多角形１１が形成されうる。図８では、１個のユニット７内にその全体が含まれる第三所定多角形１１が１個画かれており、１個のユニット７内にその半分が含まれる第三所定多角形１１が２個画かれている。すなわち、１個のユニット７内には、２個の第三所定多角形１１が含まれる（１＋０．５×２）。このゴルフボールは上半球２と下半球３とで合計１０個のユニット７を備えているので、このゴルフボールに形成されうる第三所定多角形１１の個数は２０個である（２×１０）。従って、このゴルフボールの大円帯５近傍を除く領域には、広面積平滑部が２０個存在している。
【００３３】
図９は、図７及び図８のゴルフボールの第三所定多角形１１近傍が示された拡大図である。この第三所定多角形１１は、直径が８ｍｍの円の内部に含まれる大きさである。また、この第三所定多角形１１は４個の頂点を備えており、２個の所定長方形９の組み合わせから構成されている。２個の所定長方形９は互いにその長辺が一致している。すなわち、２個の所定長方形９が互いに重なってはおらず、互いに離間してもいない。このゴルフボールでは、大円帯５近傍を除く領域に形成された広面積平滑部内に、互いに離間することなくかつ互いにその面積の半分以上が重なり合うことなく形成されうる所定長方形９の個数は、４０個である（２×２０）。
【００３４】
図１０は本発明のさらに他の実施形態にかかるゴルフボールが示された正面図であり、図１１はその平面図である。このゴルフボールも、図１から図３に示されたゴルフボールと同様、ディンプル１、上半球２、下半球３、ポール４及び大円帯５を備えている。そして、上半球２及び下半球３は、ポール４から大円帯５に延びる５本の円弧６によって、５個のユニット７に区画されうる。このゴルフボールは、直径が４．００ｍｍのＡディンプルを１３２個、直径が３．４５ｍｍのＢディンプルを１２０個、直径が３．３０ｍｍのＣディンプルを６０個、そして直径が３．１５ｍｍのＤディンプルを１２０個備えており、ディンプル数は４３２個である。
【００３５】
図１１に示されるように、このゴルフボール表面には、第二所定多角形１０及び第三所定多角形１１が形成されうる。図１１では、１個のユニット７内にその半分が含まれる第二所定多角形１０が４個画かれている。すなわち、１個のユニット７内には、２個の第二所定多角形１０が含まれる（０．５×４）。また、図１１では、１個のユニット７内にその全体が含まれる第三所定多角形１１が１個画かれており、１個のユニット７内にその半分が含まれる第三所定多角形１１が２個画かれている。すなわち、１個のユニット７内には、２個の第三所定多角形１１が含まれる（１＋０．５×２）。１個のユニット７内に画かれる所定多角形の合計は、４個である（２＋２）。このゴルフボールは上半球２と下半球３とで合計１０個のユニット７を備えているので、このゴルフボールに形成されうる所定多角形の個数は４０個である（４×１０）。従って、このゴルフボールの大円帯５近傍を除く領域には、広面積平滑部が４０個存在している。
【００３６】
第二所定多角形１０は３個の所定長方形９の組み合わせからなり（図６参照）、第三所定多角形１１は２個の所定長方形９の組み合わせからなるので（図９参照）、このゴルフボールでは、大円帯５近傍を除く領域に形成された広面積平滑部内に、互いに離間することなくかつ互いにその面積の半分以上が重なり合うことなく形成されうる所定長方形９の個数は、１００個である（３×２０＋２×２０）。
【００３７】
【実施例】
以下、実施例に基づいて本発明の効果が明らかにされるが、この実施例の記載に基づいて本発明が限定的に解釈されるべきではないことはもちろんである。
【００３８】
［実施例１］
ソリッドゴムのコアと合成樹脂のカバーと塗装層とからなり、図１及び図２に示されるディンプルパターンを備えたゴルフボールを製造した。ゴルフボールの直径を４２．７０ｍｍ±０．０３ｍｍとし、コンプレッションを８５とした。また、ディンプル深さを０．１２ｍｍから０．１８ｍｍの範囲で調節し、ディンプル容積の総和を３３０ｍｍ３とした。このゴルフボールの表面積占有率は、７５．５％である。このゴルフボールの外観を目視観察したところ、大円帯は目立たず、良好であった。
【００３９】
［実施例２から実施例４］
ディンプルパターンを下記の表１に示されるように異ならせた他は実施例１と同様にして、実施例２から実施例４のゴルフボールを得た。各ゴルフボールの表面積占有率は、下記の表１に示される通りである。これらのゴルフボールの外観を目視観察したところ、いずれも大円帯は目立たず、良好であった。
【００４０】
［比較例１］
図１２に正面図が示され、図１３に平面図が示されるディンプルパターンとした他は実施例１と同様にして、比較例１のゴルフボールを得た。このゴルフボールは、直径が４．００ｍｍのＡディンプルを１３２個、直径が３．４５ｍｍのＢディンプルを１８０個、直径が３．３０ｍｍのＣディンプルを６０個、そして直径が３．１５ｍｍのＤディンプルを６０個備えている。ディンプル数は４３２個であり、表面積占有率は、７５．５％である。また、このゴルフボールの大円帯近傍を除く領域には、所定多角形が形成され得る広面積平滑部が存在していない。このゴルフボールの外観を目視観察したところ、大円帯が目立ち、不良であった。
【００４１】
［比較例２］
図１４に正面図が示され、図１５に平面図が示されるディンプルパターンとした他は実施例１と同様にして、比較例２のゴルフボールを得た。このゴルフボールは、直径が４．００ｍｍのＡディンプルを１３２個、直径が３．４５ｍｍのＢディンプルを１２０個、直径が３．３０ｍｍのＣディンプルを６０個、そして直径が３．１５ｍｍのＤディンプルを１２０個備えている。ディンプル数は４３２個であり、表面積占有率は、７４．０％である。また、このゴルフボールは、大円帯近傍を除く領域に、第一所定多角形が形成され得る広面積平滑部を５０個備えており、第三所定多角形が形成されうる広面積平滑部を２０個備えている。すなわち、大円帯近傍を除く領域に存在する広面積平滑部は、合計で７０個である。このゴルフボールでは、大円帯近傍を除く領域に形成された広面積平滑部内に、互いに離間することなくかつ互いにその面積の半分以上が重なり合うことなく形成されうる所定長方形の個数は、１４０個である（２×５０＋２×２０）。このゴルフボールの外観を目視観察したところ、大円帯は目立たず、良好であった。
【００４２】
［飛距離テスト］
ゴルフラボラトリーズ社製のサーボモータ制御式スイングロボットに、ドライバー（Ｗ１）を装着した。そして、ヘッドスピードが４５ｍ／ｓの条件で、各実施例及び各比較例のゴルフボールを１２個ずつ打撃し、飛距離の平均値を求めた。テスト中は、ほぼ無風状態であった。なお、飛距離とは、発射地点からゴルフボールが静止した地点までの距離のことである。この結果が、下記の表１に示されている。
【００４３】
【表１】
0003726228.tif 000002
【００４４】
表１より、いずれの実施例のゴルフボールも、比較例１及び比較例２のゴルフボールよりも飛行性能が優れていることが解る。この評価結果より、本発明の優位性が確認できた。
【００４５】
【発明の効果】
以上説明されたように、本発明のゴルフボールは飛行性能に優れる。また、本発明のゴルフボールでは大円帯とこの大円帯以外の領域とでのディンプル疎密差が抑えられるので、外観が良好であり、空力的対称性も良好である。
【図面の簡単な説明】
【図１】  図１は、本発明の一実施形態にかかるゴルフボールが示された正面図である。
【図２】  図２は、図１のゴルフボールが示された平面図である。
【図３】  図３は、図１及び図２のゴルフボールの第一所定多角形近傍が示された拡大図である。
【図４】  図４は、本発明の他の実施形態にかかるゴルフボールが示された正面図である。
【図５】  図５は、図４のゴルフボールが示された平面図である。
【図６】  図６は、図４及び図５のゴルフボールの第二所定多角形近傍が示された拡大図である。
【図７】  図７は、本発明のさらに他の実施形態にかかるゴルフボールが示された正面図である。
【図８】  図８は、図７のゴルフボールが示された平面図である。
【図９】  図９は、図７及び図８のゴルフボールの第三所定多角形近傍が示された拡大図である。
【図１０】  図１０は、本発明のさらに他の実施形態にかかるゴルフボールが示された正面図である。
【図１１】  図１１は、図１０のゴルフボールが示された平面図である。
【図１２】  図１２は、本発明の比較例にかかるゴルフボールが示された正面図である。
【図１３】  図１３は、図１２のゴルフボールが示された平面図である。
【図１４】  図１４は、本発明の他の比較例にかかるゴルフボールが示された正面図である。
【図１５】  図１５は、図１４のゴルフボールが示された平面図である。
【符号の説明】
１    ディンプル
２    上半球
３    下半球
４    ポール
５    大円帯
６    円弧
７    ユニット
８    第一所定多角形
９    所定長方形
１０  第二所定多角形
１１  第三所定多角形
【図１】
0003726228.tif 000003
【図２】
0003726228.tif 000004
【図３】
0003726228.tif 000005
【図４】
0003726228.tif 000006
【図５】
0003726228.tif 000007
【図６】
0003726228.tif 000008
【図７】
0003726228.tif 000009
【図８】
0003726228.tif 000010
【図９】
0003726228.tif 000011
【図１０】
0003726228.tif 000012
【図１１】
0003726228.tif 000013
【図１２】
0003726228.tif 000014
【図１３】
0003726228.tif 000015
【図１４】
0003726228.tif 000016
【図１５】
0003726228.tif 000017